(57)【要約】【課題】  複数段の調整が可能な杖の伸縮構造を提供する。【解決手段】  第一パイプ１０と第二パイプ２０と段調整軸３０と回動部材４０を有し、第一パイプ１０に保持部材１１が設置され、第二パイプ２０は、第一パイプ１０に挿入され、複数対の段調整穴２１が形成され、段調整軸３０は、第二パイプ２０に貫設され、回転軸部３１と摺動軸部３２と複数の弾性部材３３を備え、回転軸部３１が第二パイプ２０の下端から突出して取り付けられ、摺動軸部３２が進退可能に回転軸部３１に取り付けられ、段調整穴２１と対応して摺動穴が形成され、１つの弾性部材３３が選択可能に対応した摺動穴から突出して段調整穴２１に係合されると共に第一パイプ１０の保持部材に保持され、回動部材４０は、回転軸部３１と連動するように環装されると共に回転可能に第二パイプ２０の下端に取り付けられ、回動部材４０を回転して段調整軸３０を上下に摺動させて複数段の調整ができる。【選択図】  図２
0003207186.tif 000002
【実用新案登録請求の範囲】
【請求項１】
下端内部に保持部材が設置される、第一パイプと、
外径が前記第一パイプの内径よりも小さく、摺動可能に前記第一パイプに挿入され、周壁に複数対の段調整穴が長手方向に沿って間隔をおいて形成され、周壁の下端近傍に解錠穴が形成される、第二パイプと、
前記第二パイプに貫設され、回転軸部と、摺動軸部と、複数の弾性部材を備え、そのうち、回転軸部が、前記第二パイプの下端から突出するように取り付けられ、上段の外周壁に外ネジ山が設けられ、中段に進退移動により前記解錠穴と係合する係合構造が設置され、該摺動軸部が、進退可能に回転軸部に取り付けられ、下段に外ネジ山と螺合する内ネジ山が形成され、上段周壁における、前記複数対の段調整穴と対応する箇所に複数対の長型の摺動穴が形成され、該各摺動穴の一側壁に複数の段位置を有し、該複数の摺動穴がそれぞれ異なる段位置に突出口が凹設され、該複数の弾性部材がそれぞれ、対応する対の摺動穴に摺動可能に取り付けられ、そのうちの１つの弾性部材の両端が選択可能に該摺動穴の突出口から突出して段調整穴に係合されると共に第一パイプの保持部材に保持される、段調整軸と、
前記段調整軸の回転軸部に環装されると共に、回転可能に前記第二パイプの下端に取り付けられ、固定座と、解錠座と、摺動リングと、回転座を備え、そのうち、固定座が、前記第二パイプの下端内部に嵌め込まれ、その周壁に前記解錠穴と対応する挿入穴が形成され、該解錠座が、前記固定座と対応するように第二パイプの下端に環装され、上端の外周面に止め凸縁が設けられ、周壁の相対する両側に１対の押圧リブが底部から斜上方へ向って設けられ、該押圧リブの内側面に前記固定座の挿入穴及び第二パイプの解錠穴と対応する押圧凸部が凸設され、該押圧凸部が進退可能に前記挿入穴及び解錠穴に挿し込まれて係合構造を挿入穴及び解錠穴から離間させ、該摺動リングが摺動可能に前記解錠座に環装され、その内周面の上側に該解錠座の止め凸縁を収容するための収容凹部が形成されると共に、内周面の下側に該止め凸縁よりも小径な、前記１対の押圧リブを押圧するための押圧内壁が設けられ、該回転座が、前記段調整軸の回転軸部と連動するように、回転可能に前記第二パイプの下端に取り付けられる、回動部材とを有することを特徴とする杖の伸縮構造。
【請求項２】
前記摺動軸部が、２つの断面半円弧状の摺動半軸部からなり、該２つの摺動半軸部が互いに組み合わされ、前記各対の摺動穴が該２つの摺動半軸部の対応する箇所に形成され、
前記各弾性部材が摺動半軸部の間に位置するように、対応する１対の摺動穴に取り付けられることを特徴とする請求項１に記載の杖の伸縮構造。
【請求項３】
前記回転軸部の下段の外周面に連続歯状の突起部が設けられ、
前記回転座の上面の中心に回転軸部の突起部と係合可能な結合凹部が凹設されることを特徴とする請求項１または２に記載の杖の伸縮構造。
【請求項４】
前記係合構造は、段調整軸の中段に収容穴が凹設され、該収容穴にバネが嵌め込まれ、更に、外側から該バネに当接するボタンが該収容穴に嵌め込まれ、該ボタンがバネの付勢力によって進退可能に解錠穴に嵌め込まれることを特徴とする請求項３に記載の杖の伸縮構造。
【請求項５】
前記弾性部材は、Ｕ字形のバネを備え、該バネの両端にそれぞれ係止ボタンが取り付けられ、該係止ボタンが選択可能に摺動穴の突出口から突出するように段調整穴に係合されることを特徴とする請求項４に記載の杖の伸縮構造。
【請求項６】
前記第二パイプの周壁における下端と解錠穴との間に１対の固定穴が形成され、
前記固定座の周壁に前記１対の固定穴に係合される１対の突出部が設けられることを特徴とする請求項５に記載の杖の伸縮構造。
【請求項７】
前記固定座の下端の外周面に第二パイプの下端に当接するように当接凸縁が設けられ、
前記解錠座の下端の内周面に、固定座の当接凸縁に当接する底縁が設けられることを特徴とする請求項６に記載の杖の伸縮構造。
【請求項８】
前記回転座の中心を貫挿するように段調整軸の回転軸部にボルトが螺合されることを特徴とする請求項７に記載の杖の伸縮構造。
【請求項９】
前記第一パイプの下端近傍の周壁の相対する両側に１対の係合穴が形成され、前記保持部材が該１対の係合穴と対応するように第一パイプに嵌め込まれ、前記弾性部材の両端が摺動穴の突出口から突出して段調整穴に係合される時、前記弾性部材の両端が第一パイプの係合穴に係合されて保持部材に保持され、
また、前記第一パイプの下端の外周面に保持リングが該保持部材と対応するように環装され、該保持リングの周壁に、該１対の係合穴と対応する１対の指挟み防止部が設けられることを特徴とする請求項１に記載の杖の伸縮構造。
【考案の詳細な説明】
【技術分野】
【０００１】
本考案は特に、杖のパイプを多数段調整することができる杖の伸縮構造に関するものである。
【背景技術】
【０００２】
従来の杖は、内径が異なる複数のパイプを有し、そのうち、内径の小さいパイプが摺動可能に内径の大きいパイプに挿し込まれることによって、複数のパイプを伸縮自在に接続することから、使用者は自分の身長に応じて杖を所望の長さに調整することができる。
図８に示すように、従来の杖は、最下位置にあるパイプ９１の下端に滑り止め部材９２が２つのボルト９３によって取り付けられて滑り止め効果を提供できるが、その滑り止め部材９２はパイプ９１の下端に固定されていることから、パイプ９１の長さを調整することができない。
【考案の概要】
【考案が解決しようとする課題】
【０００３】
また、従来の杖のパイプ構造により杖の長さを調整すると、一方のパイプを他方のパイプに対して大幅に伸ばすことはできるが、細かい調整ができず、隣り合った２本のパイプをしっかりと位置決めして所定の長さに維持することもできないことから、使用者の身長にピッタリと合うように調整することができないと共に、使用途中で杖が突然に短くなる恐れもあるので、使用上に不便であった。
【課題を解決するための手段】
【０００４】
本考案の杖の伸縮構造は、
下端内部に保持部材が設置される、第一パイプと、
外径が前記第一パイプの内径よりも小さく、摺動可能に前記第一パイプに挿入され、周壁に複数対の段調整穴が長手方向に沿って間隔をおいて形成され、周壁の下端近傍に解錠穴が形成される、第二パイプと、
前記第二パイプに貫設され、回転軸部と、摺動軸部と、複数の弾性部材を備え、そのうち、回転軸部が、前記第二パイプの下端から突出するように取り付けられ、上段の外周壁に外ネジ山が設けられ、中段に進退移動により前記解錠穴と係合する係合構造が設置され、該摺動軸部が、進退可能に回転軸部に取り付けられ、下段に外ネジ山と螺合する内ネジ山が形成され、上段周壁における、前記複数対の段調整穴と対応する箇所に複数対の長型の摺動穴が形成され、該各摺動穴の一側壁に複数の段位置を有し、該複数の摺動穴がそれぞれ異なる段位置に突出口が凹設され、該複数の弾性部材がそれぞれ、対応する対の摺動穴に摺動可能に取り付けられ、そのうちの１つの弾性部材の両端が選択可能に該摺動穴の突出口から突出して段調整穴に係合されると共に第一パイプの保持部材に保持される、段調整軸と、
前記段調整軸の回転軸部に環装されると共に、回転可能に前記第二パイプの下端に取り付けられ、固定座と、解錠座と、摺動リングと、回転座を備え、そのうち、固定座が、前記第二パイプの下端内部に嵌め込まれ、その周壁に前記解錠穴と対応する挿入穴が形成され、該解錠座が、前記固定座と対応するように第二パイプの下端に環装され、上端の外周面に止め凸縁が設けられ、周壁の相対する両側に１対の押圧リブが底部から斜上方へ向って設けられ、該押圧リブの内側面に前記固定座の挿入穴及び第二パイプの解錠穴と対応する押圧凸部が凸設され、該押圧凸部が進退可能に前記挿入穴及び解錠穴に挿し込まれて係合構造を挿入穴及び解錠穴から離間させ、該摺動リングが摺動可能に前記解錠座に環装され、その内周面の上側に該解錠座の止め凸縁を収容するための収容凹部が形成されると共に、内周面の下側に該止め凸縁よりも小径な、前記１対の押圧リブを押圧するための押圧内壁が設けられ、該回転座が、前記段調整軸の回転軸部と連動するように、回転可能に前記第二パイプの下端に取り付けられる、回動部材とを有するものである。
【０００５】
かかる杖の伸縮構造において、
前記摺動軸部が、２つの断面半円弧状の摺動半軸部からなり、該２つの摺動半軸部が互いに組み合わされ、前記各対の摺動穴が該２つの摺動半軸部の対応する箇所に形成され、
前記各弾性部材が摺動半軸部の間に位置するように、対応する１対の摺動穴に取り付けられることが好ましい。
【０００６】
かかる杖の伸縮構造において、
前記回転軸部の下段の外周面に連続歯状の突起部が設けられ、
前記回転座の上面の中心に回転軸部の突起部と係合可能な結合凹部が凹設されることが好ましい。
【０００７】
かかる杖の伸縮構造において、前記係合構造は、段調整軸の中段に収容穴が凹設され、該収容穴にバネが嵌め込まれ、更に、外側から該バネに当接するボタンが該収容穴に嵌め込まれ、該ボタンがバネの付勢力によって進退可能に解錠穴に嵌め込まれることが好ましい。
【０００８】
かかる杖の伸縮構造において、前記弾性部材は、Ｕ字形のバネを備え、該バネの両端にそれぞれ係止ボタンが取り付けられ、該係止ボタンが選択可能に摺動穴の突出口から突出するように段調整穴に係合されることが好ましい。
【０００９】
かかる杖の伸縮構造において、前記第二パイプの周壁における下端と解錠穴との間に１対の固定穴が形成され、
前記固定座の周壁に前記１対の固定穴に係合される１対の突出部が設けられることが好ましい。
【００１０】
かかる杖の伸縮構造において、前記固定座の下端の外周面に第二パイプの下端に当接するように当接凸縁が設けられ、
前記解錠座の下端の内周面に、固定座の当接凸縁に当接する底縁が設けられることが好ましい。
【００１１】
かかる杖の伸縮構造において、前記回転座の中心を貫挿するように段調整軸の回転軸部にボルトが螺合されることが好ましい。
【００１２】
かかる杖の伸縮構造において、前記第一パイプの下端近傍の周壁の相対する両側に１対の係合穴が形成され、前記保持部材が該１対の係合穴と対応するように第一パイプに嵌め込まれ、前記弾性部材の両端が摺動穴の突出口から突出して段調整穴に係合される時、前記弾性部材の両端が第一パイプの係合穴に係合されて保持部材に保持され、
また、前記第一パイプの下端の外周面に保持リングが該保持部材と対応するように環装され、該保持リングの周壁に、該１対の係合穴と対応する１対の指挟み防止部が設けられることが好ましい。
【考案の効果】
【００１３】
本考案に係る杖の伸縮構造によれば、以下に示すようなメリットを奏することができる。
１.回動部材４０によって第二パイプ２０を伸縮自在に第一パイプ１０から伸ばすことができると共に、段調整軸３０によって複数段の長さ調整を行えることから、杖を使用者の身長に合うように長さ調整することができる。
２.杖を所望の長さに調整して摺動リング４３を放すと、回転軸部３１の係合構造３１１が第二パイプ２０の解錠穴２２及び固定座４１の挿入穴４１０に挿し込まれて位置決めされ、弾性部材３３の係止ボタン３３１が、対応する第二パイプ２０の段調整穴２１から突出すると共に、第一パイプ１０の保持部材１１及び保持リング１２が、該第二パイプ２０の段調整穴２１から突出した係止ボタン３３１に係止されることによって、第二パイプ２０をしっかりと第一パイプ１０に固定できることから、杖が突然に縮まることはないので、安全性が非常に高い。
３.回動部材４０の摺動リング４３が環状を呈することから、解錠時には解錠座４２に対して持ち上げるだけでよく、取り外す必要はないので、紛失することはない。
４.回転座４４を回転させるだけで、杖の長さを自由且つ簡単に調整することができる。
【図面の簡単な説明】
【００１４】
【図１】本考案に係る杖の伸縮構造の斜視図である。
【図２】本考案に係る杖の伸縮構造の部分分解斜視図である。
【図３】本考案に係る杖の伸縮構造における第二パイプ及び段調整軸の分解斜視図である。
【図４】本考案に係る杖の伸縮構造における第二パイプと段調整軸と回動部材の部分断面図である。
【図５】本考案に係る杖の伸縮構造において、摺動リングを解錠座に対して持ち上げた時の第二パイプと段調整軸と回動部材の部分断面図である。
【図６】本考案に係る杖の伸縮構造において、最も上にある弾性部材が最も上にある段調整穴に係合された状態を示す部分断面図である。
【図７】本考案に係る杖の伸縮構造において、次の弾性部材が次の段調整穴に係合された状態を示す部分断面図である。
【図８】従来の杖における最下位置のパイプ及び滑り止め部材の分解斜視図である。
【考案を実施するための形態】
【００１５】
図１及び図２に示すように、本考案に係る杖の伸縮構造は、第一パイプ１０と、第二パイプ２０と、段調整軸３０と、回動部材４０を有する。
【００１６】
図２乃至図４に示すように、前記第一パイプ１０は、中空状を呈するパイプであり、下端近傍の周壁の相対する両側に１対の係合穴１０１が形成され、該第一パイプ１０の下端内部に、前記１対の係合穴１０１に対応するように保持部材１１が嵌め込まれ、該第一パイプ１０の下端の外周面に保持リング１２が該保持部材１１と対応するように環装され、該保持リング１２の周壁に、該１対の係合穴１０１と対応する１対の指挟み防止部１２０が設けられる。
【００１７】
前記第二パイプ２０は、中空状を呈し、外径が前記第一パイプ１０の内径よりも小さく、摺動可能に該第一パイプ１０に挿入され、周壁に複数対の段調整穴２１が長手方向に沿って間隔をおいて形成され、周壁の下端近傍に解錠穴２２が形成されると共に、周壁の下端と解錠穴２２との間に１対の固定穴２３が形成され、そのうち、該各対の段調整穴２１は互いに相対するように第二パイプ２０の周壁に形成され、該１対の固定穴２３も互いに相対するように第二パイプ２０の周壁に形成される。また、該第二パイプ２０の上端にストッパー２４が固定される。
【００１８】
前記段調整軸３０は、ストッパー２４の下側に位置するように第二パイプ２０に貫設され、回転軸部３１と、摺動軸部３２と、複数の弾性部材３３を備え、その内、該回転軸部３１は、第二パイプ２０の下端から突出するように該第二パイプ２０の下側に取り付けられ、該回転軸部３１の上段の外周壁に外ネジ山３１０が設けられ、中段に係合構造３１１が径方向に沿って進退自在に解錠穴２２から突出するように嵌め込まれ、下段の外周面に連続歯状の突起部３１２が設けられ、そのうち、該係合構造３１１は、収容穴３１１０と、バネ３１１１と、ボタン３１１２を備え、該収容穴３１１０は、段調整軸３０の中段の外周面に径方向に凹設され、該バネ３１１１が収容穴３１１０に嵌め込まれ、該ボタン３１１２が外側からバネ３１１１に当接するように該収容穴３１１０に取り付けられ、該ボタン３１１２がバネ３１１１の付勢力によって進退可能に解錠穴２２に嵌め込まれるように係合される。
【００１９】
前記摺動軸部３２は、摺動可能に回転軸部３１に取り付けられ、該摺動軸部３２が回転軸部３１に対して上方へ摺動した時、前記ストッパー２４によって摺動軸部３２を止めることから、該摺動軸部３２が第二パイプ２０の上部から脱出することはない。また、該摺動軸部３２は、下段内部に外ネジ山３１０と螺合する内ネジ山３２０が形成され、該摺動軸部３２の上段内部に取付穴３２１が長手方向に沿って形成され、該摺動軸部３２の上段周壁における、第二パイプ２０の複数対の段調整穴２１と対応する箇所に複数対の摺動穴３２２が取付穴３２１と連通するように形成され、該各対の摺動穴３２２は、長手方向に沿って形成される長型穴であり、且つ該摺動軸部３２の周壁に互いに相対するように形成され、また、該各摺動穴３２２の一側壁に突出口３２３が凹設される。
【００２０】
さらに、前記摺動穴３２２の数は段調整穴２１の数と一致し、該各摺動穴３２２の一側壁に該摺動穴３２２の数と一致する複数の段位置がそれぞれ上下方向に沿って形成され、該複数の摺動穴３２２はそれぞれ異なる段位置に突出口３２３が凹設され、そのうち、該摺動穴３２２が上側からの順番によって、該摺動穴３２２の一側壁にその順番と対応する段位置に突出口３２３が凹設される。すなわち、図３に示した本実施例によると、前記複数の摺動穴３２２のうち、最も上にある摺動穴３２２における一側壁の最も上段位置に突出口３２３が凹設され、次の摺動穴３２２の一側壁における次段位置に突出口３２３が凹設され、更に次の摺動穴３２２の一側壁における更に次の段位置に突出口３２３が凹設され、最も下の摺動穴３２２の一側壁における最も下段位置に突出口３２３が凹設される。
【００２１】
前記弾性部材３３は、取付穴３２１に収容するように対応する対の摺動穴３２２に摺動可能に取り付けられ、Ｕ字形のバネ３３０を備え、該バネ３３０の両端にそれぞれ係止ボタン３３１が取り付けられ、該係止ボタン３３１は、摺動穴３２２の突出口３２３から突出するように選択可能に段調整穴２１に係合される。
【００２２】
さらに、本実施例において、摺動軸部３２は、２つの断面半円弧状の摺動半軸部３２a、３２bからなり、一方の摺動半軸部３２aの内面に複数対の凸部が長手方向に沿って間隔をおいて凸設されると共に、他方の摺動半軸部３２bの内面に複数の凹部が長手方向に沿って間隔をおいて凹設され、該摺動半軸部３２aの凸部が摺動半軸部３２bの凹部に係合されることにより摺動軸部３２を構成して内ネジ山３２０及び取付穴３２１を形成する。また、前記各対の摺動穴３２２はそれぞれ、摺動半軸部３２a、３２bの対応する箇所に形成されると共に、該各弾性部材３３は、対応する摺動穴３２２に取り付けられるように摺動半軸部３２a、３２bの間に設置される。
【００２３】
前記回動部材４０は、段調整軸３０の回転軸部３１に環装されると共に、回転可能に第二パイプ２０の下端に取り付けられ、固定座４１と、解錠座４２と、摺動リング４３と、回転座４４と、ボルト４５を備え、そのうち、固定座４１は、管状を呈し、段調整軸３０の回転軸部３１に環装されつつ、第二パイプ２０の下端内部に嵌め込まれ、該固定座４１の周壁に解錠穴２２と対応する１対の挿入穴４１０が形成され、該固定座４１の周壁に前記１対の固定穴２３に係合される１対の突出部４１１が設けられ、該固定座４１の下端の外周面に第二パイプ２０の下端に当接するように当接凸縁４１２が設けられ、該解錠座４２は、管状を呈し、固定座４１と対応するように第二パイプ２０の下端に環装され、上端の外周面に止め凸縁４２０が設けられ、周壁の相対する箇所に１対の押圧リブ４２１が底部から斜上方へ向って設けられ、該押圧リブ４２１の内側面における固定座４１の挿入穴４１０及び第二パイプ２０の解錠穴２２と対応する押圧凸部４２２が凸設され、該押圧凸部４２２が進退可能に挿入穴４１０及び解錠穴２２に挿し込まれて回転軸部３１の係合構造３１１を挿入穴４１０及び解錠穴２２から離間させ、該解錠座４２の下端の内周面に、固定座４１の当接凸縁４１２に当接する底縁４２３が設けられる。
【００２４】
前記摺動リング４３は、環状を呈し、摺動可能に解錠座４２及び段調整軸３０の回転軸部３１に環装されつつ、第二パイプ２０の下端に取り付けられ、その内周面の上側に解錠座４２の止め凸縁４２０を収容するための収容凹部４３０が形成されると共に、内周面の下側に収容凹部４３０及び止め凸縁４２０よりも小径な、１対の押圧リブ４２１を押圧するための押圧内壁４３１が設けられ、前記回転座４４は、段調整軸３０の回転軸部３１と連動するように、回転可能に第二パイプ２０の下端に取り付けられ、上面中心に回転軸部３１の突起部３１２と係合する結合凹部４４０が凹設され、前記ボルト４５は、回転座４４の中心を貫挿するように段調整軸３０の回転軸部３１に螺合される。
【００２５】
図５に示すように、本考案に係る杖の伸縮構造において、第二パイプ２０を第一パイプ１０に対して長さを調整する場合に、摺動リング４３を解錠座４２に対して持ち上げると、摺動リング４３の押圧内壁４３１が解錠座４２の押圧リブ４２１を径方向へ押して押圧凸部４２２を解錠穴２２及び挿入穴４１０に押し込み、そして、押圧リブ４２１の押圧凸部４２２が、係合構造３１１を挿入穴４１０及び解錠穴２２から離間させるように解錠する。
図１、図２、図５、図６に示すように、最上位置の弾性部材３３が最上位置の段調整穴２１に係合されることによって、第二パイプ２０が第一パイプ１０に対して伸ばした状態から杖の長さを短くしようとする場合に、図２及び図５に示すように、前記回転座４４の回転に連動した回転軸部３１も第二パイプ２０に対して回転することから、回転軸部３１の外ネジ山３１０が摺動軸部３２の内ネジ山３２０に螺合されることによって、摺動軸部３２を回転軸部３１及び第二パイプ２０に対して摺動させ、そのため、図７に示すように、最も上にある摺動穴３２２の突出口３２３が最も上にある段調整穴２１と一直線に対応しなくなり、最も上にある弾性部材３３の係止ボタン３３１が第二パイプ２０の内周壁によって突出口３２３及び段調整穴２１から摺動穴３２２へ押し込まれる。
この同時に、次の摺動穴３２２の突出口３２３が次の段調整穴２１と一直線に対応するようになり、次の弾性部材３３がバネ３３０の付勢力によって係止ボタン３３１により突出口３２３から突出して段調整穴２１に係止される。
そして、摺動リング４３を放すと、押圧リブ４２１が復位することによって、その係合構造３１１が固定座４１の挿入穴４１０及び第二パイプ２０の解錠穴２２に嵌め込まれ、このとき、第一パイプ１０が第二パイプ２０に対して摺動し、保持部材１１及び保持リング１２が段調整穴２１から突出した係止ボタン３３１に係止されると、第二パイプ２０を第一パイプ１０に位置決めて固定することができる。
また、保持リング１２の指挟み防止部１２０が係止ボタン３３１と対応するようにカバーされることから、使用者の指を挟むことはないので、非常に安全である。
【００２６】
さらに、前記摺動リング４３を解錠座４２に対して再度持ち上げて回転座４４を回し続ければ、摺動軸部３２が回転軸部３１及び第二パイプ２０に対して摺動し、前記次の摺動穴３２２の突出口３２３が前記次の段調整穴２１から離脱して、前記次の弾性部材３３の係止ボタン３３１が第二パイプ２０の内周壁によって突出口３２３及び段調整穴２１から摺動穴３２２へ押し込まれ、そして、更に次の摺動穴３２２の突出口３２３が更に次の段調整穴２１と一直線に対応するようになり、更に次の弾性部材３３がバネ３３０の付勢力によって係止ボタン３３１により突出口３２３から突出し段調整穴２１に係止される。
そして、摺動リング４３を放すと、押圧リブ４２１が復位することによって、その係合構造３１１が固定座４１の挿入穴４１０及び第二パイプ２０の解錠穴２２に嵌め込まれ、このとき、第一パイプ１０が第二パイプ２０に対して摺動し、保持部材１１及び保持リング１２が段調整穴２１から突出した係止ボタン３３１に係止されると、第二パイプ２０を第一パイプ１０に位置決めて固定することができる。
このように、本考案の杖の伸縮構造によれば、所望の長さに調整することができる。
【００２７】
一方、本考案に係る杖の伸縮構造において、第二パイプ２０を第一パイプ１０内に縮退させて収納する場合には、摺動リング４３を解錠座４２に対して持ち上げ、回転座４４を回して全ての係止ボタン３３１を第二パイプ２０に押し込めば、第二パイプ２０を第一パイプ１０に収納することができる。
【００２８】
本考案に係る杖の伸縮構造によれば、以下に示すようなメリットを奏することができる。
１.回動部材４０によって第二パイプ２０を伸縮自在に第一パイプ１０から伸ばすことができると共に、段調整軸３０によって複数段の長さ調整を行えることから、杖を使用者の身長に合うように長さ調整することができる。
２.杖を所望の長さに調整して摺動リング４３を放すと、回転軸部３１の係合構造３１１が第二パイプ２０の解錠穴２２及び固定座４１の挿入穴４１０に挿し込まれて位置決めされ、弾性部材３３の係止ボタン３３１が、対応する第二パイプ２０の段調整穴２１から突出すると共に、第一パイプ１０の保持部材１１及び保持リング１２が、該第二パイプ２０の段調整穴２１から突出した係止ボタン３３１に係止されることによって、第二パイプ２０をしっかりと第一パイプ１０に固定できることから、杖が突然に縮まることはないので、安全性が非常に高い。
３.回動部材４０の摺動リング４３が環状を呈することから、解錠時には解錠座４２に対して持ち上げるだけでよく、取り外す必要はないので、紛失することはない。
４.回転座４４を回転させるだけで、杖の長さを自由且つ簡単に調整することができる。
【符号の説明】
【００２９】
１０        第一パイプ
１０１      係合穴
１１        係止部材
１２        保持リング
１２０      指挟み防止部
２０        第二パイプ
２１        段調整穴
２２        解錠穴
２３        固定穴
３０        段調整軸
３１        回転軸部
３１０      外ネジ山
３１１      係合構造
３１１０    収容穴
３１１１    バネ
３１１２    ボタン
３２        摺動軸部
３２a、３２b  摺動半軸部
３２０      内ネジ山
３２１      取付穴
３２２      摺動穴
３２３      突出口
３３        弾性部材
３３０      バネ
３３１      係止ボタン
４０        回動部材
４１        固定座
４１０      挿入穴
４１１      突出部
４１２      当接凸縁
４２        解錠座
４２０      止め凸縁
４２１      押圧リブ
４２２      押圧凸部
４２３      底縁
４３        摺動リング
４３０      収容凹部
４３１      押圧内壁
４４        回転座
４４０      結合凹部
４５        ボルト
９１        パイプ
９２        滑り止め部材
９３        ボルト
【図１】
0003207186.tif 000003
【図２】
0003207186.tif 000004
【図３】
0003207186.tif 000005
【図４】
0003207186.tif 000006
【図５】
0003207186.tif 000007
【図６】
0003207186.tif 000008
【図７】
0003207186.tif 000009
【図８】
0003207186.tif 000010